(57)【要約】 【課題】  機種や台間を変更した場合にも容易に椅子の固定位置を調整することができる可動式椅子の取付構造を提供する。【解決手段】  遊技場の床面に遊技機島１と並行する長尺の椅子整列用レール４を敷設し、この椅子整列用レール４に複数の椅子３をその脚端に設けた連結用部３３をもってスライド移動可能に組み込んで所定の間隔をおいて固定立設することにより、機種や台間を変更した場合にも容易に椅子の左右位置を調整することができるようにした。また、椅子整列用レール４を遊技場の床面に遊技機島１と並行して設けた凹溝６内に敷設して椅子の前後位置をも調整することができるようにした。【選択図】    図３
2006314672.tif 000002
【特許請求の範囲】
【請求項１】
遊技場の床面に遊技機島と並行して長尺の椅子整列用レールを敷設し、この椅子整列用レールに複数の椅子をその脚端の連結用部をもってスライド移動可能に組み込んで所定の間隔をおいて固定したことを特徴とする可動式椅子の取付構造。
【請求項２】
椅子整列用レールを遊技場の床面に遊技機島と並行して設けた凹溝内に敷設してある請求項１に記載の可動式椅子の取付構造。
【請求項３】
凹溝の開口部を蓋板で覆ってある請求項２に記載の可動式椅子の取付構造。
【請求項４】
椅子整列用レールに遊技機島と直交する方向に延びる長孔を設けて、この長孔を利用して椅子整列用レールを遊技機島と直交する方向にスライド移動可能としてある請求項１〜３のいずれかに記載の可動式椅子の取付構造。
【請求項５】
椅子整列用レールが、凹溝底面に固定される当接板部と、この当接板部に階段状に連設された押圧板部とよりなる２本のレール部材に分割されていて、この２本のレール部材がその押圧板部の先端間に椅子の脚部を介入させる間隔をあけて対向配置されている請求項１〜４のいずれかに記載の可動式椅子の取付構造。
【発明の詳細な説明】
【技術分野】
【０００１】
本発明は、遊技場に設置され遊技者が着座してゲームをするための可動式椅子の取付構造に関する。
【背景技術】
【０００２】
現在、遊技場に設置する椅子の固定方法は、床に直接アンカーボルトを打ち込んで固定する方法が一般的である。しかしながら、このような固定方法においては、パチンコ遊技機からスロットマシンへの変更あるいはその逆のスロットマシンからパチンコ遊技機への変更や台間サンドの変更などに当って、台間を変更したような場合に、アンカーボルトを打ち直して椅子を再度固定しなければならず、その作業はたいへん煩雑であるとともに熟練を必要とするものである。したがって、椅子の取り付け位置を容易に調整することができるような可動式椅子の取付構造が望まれている。
【特許文献１】特開平１０−１１３４３２号公報（ 図６）
【発明の開示】
【発明が解決しようとする課題】
【０００３】
本発明は、上記した従来の問題に鑑み、機種や台間を変更した場合にも容易に椅子の固定位置を調整することができる可動式椅子の取付構造を提供することを課題とする。
【課題を解決するための手段】
【０００４】
上記の課題を解決するためになされた本発明の可動式椅子の取付構造は、遊技場の床面に遊技機島と並行して長尺の椅子整列用レールを敷設し、この椅子整列用レールに複数の椅子をその脚端の連結用部をもってスライド移動可能に組み込んで所定の間隔をおいて固定したことを特徴とするものである。
【０００５】
また、前記した可動式椅子の取付構造において、椅子整列用レールを遊技場の床面に遊技機島と並行して設けた凹溝内に敷設しておけば、椅子整列用レールを床面より膨出することなく敷設できるうえに、この凹溝を配線などにも利用でき、これを請求項２の発明とし、また、前記したように凹溝を設けておく場合、凹溝の開口部を蓋板で覆って凹溝内に塵埃が入り込むことをなくすとともに、床面に対する椅子整列用レールの固定を蓋板がより的確なものとする補助固定効果を発揮するし、前記したように凹溝内に配線や給電レールを配置したときにはその安全性を高めることができ、これを請求項３の発明とする。さらに、椅子整列用レールに遊技機島と直交する方向に延びる長孔を設けておけば、この長孔を利用して椅子整列用レールを遊技機島と直交する方向にスライド移動可能となるので、椅子の設置位置を前後にも調整できるものとなり、これを請求項４の発明とする。また、前記した椅子整列用レールを、凹溝底面に固定される当接板部と、この当接板部に階段状に連設された押圧板部とよりなる２本のレール部材に分割されたものとして、この２本のレール部材をその押圧板部の先端間に椅子の脚部を介入させる間隔をあけて対向配置して、前記押圧板部により複数の椅子を脚端の連結用部をもって押え付けることにより椅子を椅子整列用レールにスライド移動可能に取り付けるようにすれば、多数の椅子を効率よく椅子整列用レールに組み付けできるものとなり、これを請求項５の発明とする。
【発明の効果】
【０００６】
本発明の可動式椅子の取付構造は、遊技場の床面に遊技機島と並行して長尺の椅子整列用レールを敷設し、この椅子整列用レールに複数の椅子をその脚端の連結用部をもってスライド移動可能に組み込んで所定の間隔をおいて固定立設したので、遊技場の床面に椅子を的確に整列配置できることは勿論のこと、機種変更などで隣接する遊技機同士の間隔がずれた場合でも、遊技機の位置に対応する位置に椅子を左右方向に簡単に変更することができる。
【０００７】
また、椅子整列用レールに遊技機島と直交する方向に延びる長孔を設けておき、この長孔を利用して椅子整列用レールを遊技機島と直交する方向にスライド移動可能としておくことにより、遊技機の入れ替えによって遊技機島の前後方向の幅が変動したような場合にも、椅子と遊技機島との間隔を最適な間隔に調整することができる。
【発明を実施するための最良の形態】
【０００８】
以下に本発明を実施するための最良の形態を図面を参考にして詳細に説明する。
図１および図２はパチンコ遊技店の遊技機島に配設された椅子を示す図であって、１は多数台の遊技機２が配設されている遊技機島、３は遊技機２に対応して床面に配置された椅子である。各椅子３は遊技機島１と平行して床面に敷設された長尺の椅子整列用レール４に組み込まれて椅子整列用レール４に所要の間隔をおいて立設されている。これらの椅子３は、着座部３１と、着座部３１を支持する脚部３２と脚部３２の下端に設けた台座状の連結用部３３とを有している。
【０００９】
図３は本発明に係る可動式椅子の取付構造を示す図であって、この図において５は遊技場の床面であり、この床面５には、遊技機島１の長手方向に沿った凹溝６が平行に設けられている。そして、この凹溝６内にはほぼ凹溝６と長さを同じくした椅子整列用レール４が遊技機島１と平行に敷設されている。椅子整列用レール４は凹溝６の底面にアンカーボルトなどの固定手段７で固定される当接板部４１と、この当接板部４１に立ち上がり部を介して階段状に連設された押圧板部４２とよりなる２本のレール部材に分割されていて、この２本のレール部材の押圧板部４２、４２の先端間に椅子３の脚部３２を介入させるだけの間隔をあけて対向配置して敷設され、椅子３はこの押圧板部４２、４２により脚端の連結用部３３が押圧されるように組み込まれて椅子整列用レール４に所要の間隔をおいてスライド移動可能に立設されている。
【００１０】
このように椅子３は脚部３２の下端の連結用部３３が椅子３の前後両方向から椅子整列用レール４の押圧板部４２により抑えられて固定されていて連結用部３３の左右方向（遊技機島１と平行する方向）には当該連結用部３３の移動を妨げるものはないので、固定手段７による固定を解けば押圧板部４２による連結用部３３の押え付けが緩められて椅子３を遊技機島１と平行する方向にスライド移動させることができる。
【００１１】
また、図４に示すように、椅子整列用レール４の当接板部４１の両端には遊技機島１と直交する方向に長い長孔８が形成されていてこの長孔８に固定手段７であるアンカーボルトが挿通されてその締付けにより椅子固定レール４は固定されている。したがって、固定手段７による固定を解くと、椅子整列用レール４を遊技機島１と直交する方向にスライド移動させることができ、これにより椅子整列用レール４に固定立設される椅子３を椅子整列用レール４とともに遊技機島１と直交する方向にスライド移動させることができる。
【００１２】
以上のように構成された可動式椅子の取付構造において、パチンコ機を隣同士が密接した図１に示すような配置から、台間に比較的余裕を有する図５に示すような配置に変更した場合には椅子３をパチンコ機の正面に位置するように移動させねばならないが、このような場合には、前記したように固定手段７による固定を解けば押圧板部４２による連結用部３３の押え付けが緩められるので、椅子３を的確容易に遊技機２の正面にスライド移動させることができる。
【００１３】
また、遊技機をパチンコ機から、図６および図７に示すようなスロットマシンに入れ替えたいときには、スロットマシンはパチンコ機より前後方向の幅が厚いので、椅子３と遊技機島１との間隔がその分狭くなってしまう。このような場合には、固定手段７による椅子整列用レール４の固定を解いて椅子整列用レール４全体を遊技機島１に対して直交する方向にスライド移動させれば、椅子整列用レール４に押え付けられる椅子３を椅子整列用レール４とともに遊技機島１と直交する方向にスライド移動させることができるので、椅子３と遊技機島１との間隔を最適な間隔に調整することができる。
【００１４】
さらに、凹溝６の上部の開口部は蓋板９で覆っておくことによって、遊技者の足元の安全を確保できるうえに、凹溝内に塵埃が入り込むことをなくすことができることは勿論のこと、床面に対する椅子整列用レールの固定を蓋板がより的確なものとする補助固定効果を発揮し、また、凹溝内に配線や給電レールを配置した場合にはそれらの安全性を高めることができるほか、遊技場床面の美観を良好にすることができる。
【図面の簡単な説明】
【００１５】
【図１】パチンコ機からなる遊技機島と椅子を示す平面図である。
【図２】図１に示す遊技機島と椅子の側面図である。
【図３】本発明にかかる可動式椅子の取付構造を示す要部断面図である。
【図４】本発明にかかる可動式椅子の取付構造を示す要部平面図である。
【図５】間隔をおいて配置したパチンコ機を備える遊技機島と椅子の平面図である。
【図６】スロットマシンからなる遊技機島と椅子を示す側面図である。
【図７】スロットマシンからなる遊技機島を示す平面図である。
【符号の説明】
【００１６】
１  遊技機島
２  遊技機
３  椅子
４  椅子整列用レール  
５  床面  
６  凹溝  
７  固定手段  
８  長孔  
９  蓋板
32  脚部  
33  連結用部  
41  当接板部
42  押圧板部  
【図１】
2006314672.tif 000003
【図２】
2006314672.tif 000004
【図３】
2006314672.tif 000005
【図４】
2006314672.tif 000006
【図５】
2006314672.tif 000007
【図６】
2006314672.tif 000008
【図７】
2006314672.tif 000009